(57)【要約】【課題】著作権保護の必要のあるデータを安全に移動させることが可能なデータ移動方法を提供すること。【解決手段】第１の端末から第２の端末へデータを移動させるデータ移動方法であって、第１の端末から移動対象データを取り出すにあたり、ＩＣカードで第１の端末から送信される移動対象データを受信しこの移動対象データを予めＩＣカードに記憶された識別情報とともに暗号化し、メモリカードで暗号化データを記憶し（ＳＴ１〜ＳＴ４）、メモリカードに記憶された暗号化データを第２の端末へ送信するにあたり、ＩＣカードでメモリカードから暗号化データを受信し復号化し、予めＩＣカードに記憶された識別情報と暗号化データの復号化により得られる復号識別情報との比較によりデータ移動の正当性を確認し、復号化された移動対象データを第２の端末へ送信する（ＳＴ５〜ＳＴ１１）。【選択図】      図２
2005242913.tif 000002
【特許請求の範囲】
【請求項１】
識別情報を記憶したＩＣカードを用いて、第１の端末機器に記憶された移動対象データをメモリカードに記憶させて第２の端末機器へ移動させるデータ移動方法であって、
前記第１の端末機器から前記移動対象データを取り出すにあたり、前記ＩＣカードにより、前記第１の端末機器に記憶されている前記移動対象データを受信し、この受信した前記移動対象データを予め記憶された前記識別情報とともに暗号化し、前記メモリカードにより、この暗号化により得られる暗号化データを記憶し、
前記第１の端末機器から取り出され前記メモリカードに記憶された前記暗号化データを前記第２の端末機器へ送信するにあたり、前記ＩＣカードにより、前記メモリカードに記憶された前記暗号化データを受信し、この受信した前記暗号化データを復号化し、予め記憶された前記識別情報と前記暗号化データの復号化により得られる復号識別情報との比較により正当なデータ移動であることを確認し、前記暗号化データの復号化により得られる復号移動対象データを前記第２の端末機器へ送信する、
ことを特徴とするデータ移動方法。
【請求項２】
識別情報を記憶したＩＣカードを用いて、第１の端末機器に記憶された移動対象データをメモリカードに記憶させて第２の端末機器へ移動させるデータ移動方法であって、
前記第１の端末機器は、前記ＩＣカードに対して前記移動対象データの暗号化を指示するとともに前記移動対象データを送信し、
前記ＩＣカードは、前記移動対象データの暗号化の指示を受信するとともに、前記移動対象データを受信し、この受信した前記移動対象データを予め記憶された前記識別情報とともに暗号化し、この暗号化により得られる暗号化データを前記第１の端末機器へ送信し、
前記第１の端末機器は、前記暗号化データを受信し、記憶されている前記移動対象データを削除し、受信した前記暗号化データを前記メモリカードへ送信し、
前記メモリカードは、前記暗号化データを受信し記憶し、この記憶した前記暗号化データを前記第２の端末機器へ送信し、
前記第２の端末機器は、前記暗号化データを受信し、前記ＩＣカードに対して前記暗号化データの復号化を指示するとともに、受信した前記暗号化データを送信し、
前記ＩＣカードは、前記暗号化データの復号化の指示を受信するとともに、前記暗号化データを受信し、この受信した前記暗号化データを復号化し、予め記憶された前記識別情報と復号化により得られる復号識別情報との比較により正当なデータ移動であることを確認し、この暗号化データの復号化により得られる復号移動対象データを前記第２の端末機器へ送信し、
前記第２の端末機器は、前記復号移動対象データを受信し記憶する、
ことを特徴とするデータ移動方法。
【請求項３】
前記第２の端末機器は、前記復号移動対象データを受信し、前記メモリカードの暗号化された情報を削除することを特徴とする請求項２に記載のデータ移動方法。
【請求項４】
ユーザ識別情報を記憶したＩＣカードを用いて、第１の端末機器に記憶された移動対象データをメモリカードに記憶させて第２の端末機器へ移動させるデータ移動方法であって、
前記第１の端末機器は、前記ＩＣカードに対して前記移動対象データの暗号化を指示するとともに前記移動対象データを送信し、
前記ＩＣカードは、前記移動対象データの暗号化の指示を受信するとともに、前記移動対象データを受信し、この受信した前記移動対象データに対する暗号化処理識別情報を記憶し、この受信した前記移動対象データを予め記憶された前記ユーザ識別情報及び前記暗号化処理識別情報とともに予め記憶された鍵データに基づき暗号化し、この暗号化により得られる暗号化データを前記第１の端末機器へ送信し、
前記第１の端末機器は、前記暗号化データを受信し、記憶されている前記移動対象データを削除し、受信した前記暗号化データを前記メモリカードへ送信し、
前記メモリカードは、前記暗号化データを受信し記憶し、この記憶した前記暗号化データを前記第２の端末機器へ送信し、
前記第２の端末機器は、前記暗号化データを受信し、前記ＩＣカードに対して前記暗号化データの復号化を指示するとともに、受信した前記暗号化データを送信し、
前記ＩＣカードは、前記暗号化データの復号化の指示を受信するとともに、前記暗号化データを受信し、この受信した前記暗号化データを前記鍵データに基づき復号化し、予め記憶された前記ユーザ識別情報と復号化により得られる復号ユーザ識別情報との比較、及び記憶された前記暗号化処理識別情報と復号化により得られる復号暗号化処理識別情報との比較により正当なデータ移動であることを確認し、前記暗号化データの復号化により得られる復号移動対象データを前記第２の端末機器へ送信し、
前記第２の端末機器は、前記復号移動対象データを受信し記憶する、
ことを特徴とするデータ移動方法。
【請求項５】
前記第２の端末機器は、前記復号移動対象データを受信し、前記メモリカードの暗号化された情報を削除することを特徴とする請求項４に記載のデータ移動方法。
【請求項６】
第１の端末機器に記憶された移動対象データをメモリカードに記憶させて第２の端末機器へ移動させるデータ移動処理に適用されるＩＣカードであって、
識別情報を記憶する記憶手段と、
前記第１の端末機器に記憶されている前記移動対象データを受信する移動対象データ受信手段と、
前記移動対象データ受信手段により受信された前記移動対象データを前記識別情報とともに暗号化する暗号化手段と、
前記暗号化手段による暗号化により得られる暗号化データを前記第１の端末機器へ送信する暗号化データ送信手段と、
前記第１の端末機器経由で前記メモリカードに記憶された前記暗号化データを前記第２の端末機器経由で受信する暗号化データ受信手段と、
前記暗号化データ受信手段により受信された前記暗号化データを復号化する復号化手段と、
前記識別情報と前記暗号化データの復号化により得られる復号識別情報との比較により正当なデータ移動であることを確認する確認手段と、
前記確認手段によるデータ移動の正当性確認に基づき、前記暗号化データの復号化により得られる復号移動対象データを前記第２の端末機器へ送信する復号移動対象データ送信手段と、
を備えたことを特徴とするデータ移動処理に適用されるＩＣカード。
【請求項７】
第１の端末機器に記憶された移動対象データをメモリカードに記憶させて第２の端末機器へ移動させるデータ移動処理に適用されるＩＣカードであって、
ユーザ識別情報、暗号復号化処理に必要な鍵データ、及び暗号化処理に伴い生成される暗号化処理識別情報を記憶する記憶手段と、
前記第１の端末機器に記憶されている前記移動対象データ、及び前記移動対象データの暗号化の指示を受信する移動対象データ受信手段と、
前記移動対象データ受信手段により受信された前記移動対象データの暗号化の指示に基づき、受信された前記移動対象データに対する暗号化処理識別情報を生成し、受信された前記移動対象データを予め記憶された前記ユーザ識別情報及び前記暗号化処理識別情報とともに予め記憶された前記鍵データに基づき暗号化する暗号化手段と、
前記暗号化手段による暗号化により得られる暗号化データを前記第１の端末機器へ送信する暗号化データ送信手段と、
前記第１の端末機器経由で前記メモリカードに記憶された前記暗号化データを前記第２の端末機器経由で受信する暗号化データ受信手段と、
前記暗号化データ受信手段により受信された前記暗号化データを予め記憶された前記鍵データに基づき復号化する復号化手段と、
前記識別情報と前記暗号化データの復号化により得られる復号識別情報との比較、及び及び前記記憶手段に記憶された前記暗号化処理識別情報と復号化により得られる復号暗号化処理識別情報との比較によりにより正当なデータ移動であることを確認する確認手段と、
前記確認手段によるデータ移動の正当性確認に基づき、前記暗号化データの復号化により得られる復号移動対象データを前記第２の端末機器へ送信する復号移動対象データ送信手段と、
を備えたことを特徴とするデータ移動処理に適用されるＩＣカード。
【請求項８】
識別情報を記憶したＩＣカード及び移動対象データを記憶するメモリカードにより、データ移動処理を受ける端末機器であって、
移動対象データを記憶する記憶手段と、
前記ＩＣカードに対して前記移動対象データを送信し、前記ＩＣカードから前記移動対象データを暗号化した暗号化データを受信し、前記記憶手段に記憶されている前記移動対象データを削除し、受信した前記暗号化データを前記メモリカードへ送信する移動データ出力処理手段と、
前記メモリカードから前記暗号化データを受信し、前記ＩＣカードに対して受信した前記暗号化データを送信し、前記ＩＣカードから前記暗号化データを復号化して得られる移動対象データを受信し、受信した移動対象データを前記記憶手段に記憶する移動データ入力処理手段と、
を備えたことを特徴とする端末機器。
【請求項９】
前記移動データ入力処理手段は、前記ＩＣカードから前記暗号化データを復号化して得られる移動対象データを受信し、前記メモリカードに記憶されている前記暗号化データを削除することを特徴とする請求項８に記載の端末機器。
【請求項１０】
識別情報を記憶したＩＣカード及び移動対象データを記憶するメモリカードにより、データ移動処理を受ける端末機器であって、
移動対象データを記憶する記憶手段と、
前記ＩＣカードに対して前記移動対象データの暗号化を指示するとともに前記移動対象データを送信し、前記ＩＣカードから前記移動対象データを暗号化指示に基づき暗号化した暗号化データを受信し、前記記憶手段に記憶されている前記移動対象データを削除し、受信した前記暗号化データを前記メモリカードへ送信する移動データ出力処理手段と、
前記メモリカードから前記暗号化データを受信し、前記ＩＣカードに対して前記暗号化データの復号化を指示するとともに、受信した前記暗号化データを送信し、前記ＩＣカードから前記暗号化データを復号化指示に基づき復号化して得られる移動対象データを受信し、受信した移動対象データを前記記憶手段に記憶する移動データ入力処理手段と、
を備えたことを特徴とする端末機器。
【請求項１１】
前記移動データ入力処理手段は、前記ＩＣカードから前記暗号化データを復号化指示に基づき復号化して得られる移動対象データを受信し、前記メモリカードに記憶されている前記暗号化データを削除することを特徴とする請求項１０に記載の端末機器。
【発明の詳細な説明】
【技術分野】
【０００１】
本発明は、携帯電話などの端末機器に記憶されたデジタル著作物等のデータ移動方法に関する。また、本発明は、このようなデジタル著作物等のデータ移動処理に適用されるＩＣカードに関する。さらに、本発明は、このようなデジタル著作物等のデータ移動処理を受ける端末機器に関する。
【背景技術】
【０００２】
近年、デジタル端末機器、例えば携帯電話の普及が目覚しく、これに伴い携帯電話の機能向上も目覚しい。例えば、近年の携帯電話は、Ｗｅｂサイトからデジタル著作物（着信メロディや画像データ等）をダウンロードし格納する機能を備えている。しかしながら、現在、携帯電話に格納されているデジタル著作物を外部へ出力することは、著作権等の問題があり制限されている。そのため、携帯電話の買い換えや携帯電話の修理・交換などにより携帯電話を変更した場合、前の携帯電話に格納されていたデジタル著作物を別の携帯電話で利用するためには、その別の携帯電話で再度同じデジタル著作物をデジタル著作物を提供しているコンテンツプロバイダ等からダウンロードする必要がある。
【０００３】
例えば、著作権保護の必要のあるデジタルコンテンツの入出力情報をコンテンツ格納機器と異なるＩＣカードで管理することにより、このデジタルコンテンツを機器間で自由に移動し若しくはコピーすることを可能にする技術が開示されている（特許文献１参照）。
【特許文献１】特開２００２−７２６３
【発明の開示】
【発明が解決しようとする課題】
【０００４】
しかしながら、上記開示された技術によると、デジタルコンテンツの受け渡し時のセキュリティが十分でないという問題があった。
【０００５】
本発明の目的は、上記課題を解決するためになされたものであり、著作権保護の必要のあるデータを安全に移動させることが可能なデータ移動方法を提供することにある。また、本発明の目的は、著作権保護の必要のあるデータを安全に移動させることが可能なデータ移動処理に適用可能なＩＣカードを提供することにある。さらに、本発明の目的は、著作権保護の必要のあるデータを安全に移動させることが可能なデータ移動処理を受ける端末機器を提供することにある。
【課題を解決するための手段】
【０００６】
この発明のデータ移動方法、データ移動処理に適用されるＩＣカード、及びデータ移動処理を受ける端末機器は、以下のように構成されている。
【０００７】
（１）この発明は、識別情報を記憶したＩＣカードを用いて、第１の端末機器に記憶された移動対象データをメモリカードに記憶させて第２の端末機器へ移動させるデータ移動方法であって、前記第１の端末機器は、前記ＩＣカードに対して前記移動対象データの暗号化を指示するとともに前記移動対象データを送信し、前記ＩＣカードは、前記移動対象データの暗号化の指示を受信するとともに、前記移動対象データを受信し、この受信した前記移動対象データを予め記憶された前記識別情報とともに暗号化し、この暗号化により得られる暗号化データを前記第１の端末機器へ送信し、前記第１の端末機器は、前記暗号化データを受信し、記憶されている前記移動対象データを削除し、受信した前記暗号化データを前記メモリカードへ送信し、前記メモリカードは、前記暗号化データを受信し記憶し、この記憶した前記暗号化データを前記第２の端末機器へ送信し、前記第２の端末機器は、前記暗号化データを受信し、前記ＩＣカードに対して前記暗号化データの復号化を指示するとともに、受信した前記暗号化データを送信し、前記ＩＣカードは、前記暗号化データの復号化の指示を受信するとともに、前記暗号化データを受信し、この受信した前記暗号化データを復号化し、予め記憶された前記識別情報と復号化により得られる復号識別情報との比較により正当なデータ移動であることを確認し、この暗号化データの復号化により得られる復号移動対象データを前記第２の端末機器へ送信し、前記第２の端末機器は、前記復号移動対象データを受信し記憶する。
【０００８】
（２）この発明は、第１の端末機器に記憶された移動対象データをメモリカードに記憶させて第２の端末機器へ移動させるデータ移動処理に適用されるＩＣカードであって、識別情報を記憶する記憶手段と、前記第１の端末機器に記憶されている前記移動対象データを受信する移動対象データ受信手段と、前記移動対象データ受信手段により受信された前記移動対象データを前記識別情報とともに暗号化する暗号化手段と、前記暗号化手段による暗号化により得られる暗号化データを前記第１の端末機器へ送信する暗号化データ送信手段と、前記第１の端末機器経由で前記メモリカードに記憶された前記暗号化データを前記第２の端末機器経由で受信する暗号化データ受信手段と、前記暗号化データ受信手段により受信された前記暗号化データを復号化する復号化手段と、前記識別情報と前記暗号化データの復号化により得られる復号識別情報との比較により正当なデータ移動であることを確認する確認手段と、前記確認手段によるデータ移動の正当性確認に基づき、前記暗号化データの復号化により得られる復号移動対象データを前記第２の端末機器へ送信する復号移動対象データ送信手段とを備えている。
【０００９】
（３）この発明は、識別情報を記憶したＩＣカード及び移動対象データを記憶するメモリカードにより、データ移動処理を受ける端末機器であって、移動対象データを記憶する記憶手段と、前記ＩＣカードに対して前記移動対象データを送信し、前記ＩＣカードから前記移動対象データを暗号化した暗号化データを受信し、前記記憶手段に記憶されている前記移動対象データを削除し、受信した前記暗号化データを前記メモリカードへ送信する移動データ出力処理手段と、前記メモリカードから前記暗号化データを受信し、前記ＩＣカードに対して受信した前記暗号化データを送信し、前記ＩＣカードから前記暗号化データを復号化して得られる移動対象データを受信し、受信した移動対象データを前記記憶手段に記憶する移動データ入力処理手段とを備えている。
【発明の効果】
【００１０】
本発明によれば、著作権保護の必要のあるデータを安全に移動させることが可能なデータ移動方法を提供できる。また、本発明によれば、著作権保護の必要のあるデータを安全に移動させることが可能なデータ移動処理に適用可能なＩＣカードを提供できる。さらに、本発明によれば、著作権保護の必要のあるデータを安全に移動させることが可能なデータ移動処理を受ける端末機器を提供できる。
【発明を実施するための最良の形態】
【００１１】
以下、図面を参照しながら本発明の実施形態について説明する。
【００１２】
図１は、この発明のデータ移動方法が適用されるデジタル著作物取り扱いシステムの一例を示す図である。図１に示すように、デジタル著作物取り扱いシステムは、複数の携帯電話１（例えば移動対象データを送る側の携帯電話と移動対象データを受け取る側の携帯電話）、ＩＣカード２、及びメモリカード３により構成されている。このシステムは、ＩＣカード２を用いて、第１の端末機器としての携帯電話１に記憶された移動対象データをメモリカードに記憶させて、第２の端末機器としての携帯電話２へ移動させることができる。
【００１３】
図１に示すように、携帯電話１は、ＩＣカード２を着脱可能なインターフェース１ａ、ＩＣカード２との通信を可能にする通信回路１ｂ、メモリカード３を着脱可能なインターフェース１ｃ、メモリカード３との通信を可能にする通信回路１ｄ、移動対象データとしてのデジタル著作物を格納する事が可能で着脱不可能なメモリ１ｅ、各部を制御するＣＰＵ１ｆを備えている。
【００１４】
ＩＣカード２は、加入者識別情報（ユーザ識別情報）を格納するメモリ２ａ、デジタル著作物を暗号化／復号化する為の鍵データを格納するメモリ２ｂ、暗号化したデジタル著作物に付加するＩＤ番号（暗号化処理識別情報）を管理するＩＤ管理部２ｃ、メモリ２ｂに格納されている鍵データに基づきデジタル著作物、加入者識別情報、及びＩＤ番号を暗号化／復号化する演算部２ｄ、インターフェース１ａ及び通信回路１ｂを介して携帯電話１との通信を可能にする通信回路２ｅ、各部を制御するＣＰＵ２ｆを備えている。
【００１５】
メモリカード３は、インターフェース１ｃ及び通信回路１ｄを介して携帯電話１との通信を可能にする通信回路３ａ、デジタル著作物の暗号化データを格納するメモリ３ｂを備えている。
【００１６】
図２は、図１に示すデジタル著作物取り扱いシステムにおける第１の端末機器としての携帯電話１に格納されているデジタル著作物を第２の端末機器としての携帯電話１へ移動させるデータ移動処理を説明するためのフローチャートである。第１の端末機器及び第２の端末機器は共に携帯電話１に相当し、これら機器の構成は同一であるとする。このデータ移動処理では、ＩＣカード２とメモリカード３をペアで使用し、ＩＣカード２による移動対象データとしてのデジタル著作物の暗号化及び暗号化されたデジタル著作物の復号化により、著作権保護の必要のあるデータを安全に移動させることができる。
【００１７】
まず、ユーザは、携帯電話１（第１の端末機器）のインターフェース１ａを介してＩＣカード２を接続し、さらにこの携帯電話１（第１の端末機器）のインターフェース１ｃを介してメモリカードを接続する。続いて、この携帯電話１（第１の端末機器）に設けられた操作キーを利用して、移動対象のデジタル著作物を選択し、この選択したデジタル著作物の移動を指示する。このデジタル著作物の選択及び移動指示に対応して、携帯電話１（第１の端末機器）の通信回路１ｂ及びインターフェース１ａは、メモリ１ｅに格納されている選択されたデジタル著作物をＩＣカード２に対して送信し、さらにＩＣカード２に対してこのデジタル著作物の暗号化を指示する（ＳＴ１）。
【００１８】
ＩＣカード２の通信回路２ｅは、携帯電話１（第１の端末機器）から送信されるデジタル著作物を受信するとともに、デジタル著作物の暗号化の指示を受信する。ＩＣカード２のＩＤ管理部２ｃは、受信したデジタル著作物に対する暗号化処理のＩＤ番号を決定し、決定したＩＤ番号を格納する（ＳＴ２）。さらに、ＩＣカード２の演算部２ｄは、受信したデジタル著作物、メモリ２ａに格納された加入者識別情報、及びＩＤ管理部２ｃに格納されたＩＤ番号を結合し、この結合データをメモリ２ｂに記憶されている鍵データに基づき暗号化し、ＩＣカード２の通信回路２ｅは暗号化により得られる暗号化データ（暗号化デジタル著作物）を携帯電話１（第１の端末機器）へ送信する（ＳＴ３）。
【００１９】
携帯電話１（第１の端末機器）のインターフェース１ａ及び通信回路１ｂは、ＩＣカード２から送信される暗号化データ（暗号化デジタル著作物）を受信する。これに伴い携帯電話１（第１の端末機器）のＣＰＵ１ｆは、メモリ１ｅに記憶されているデジタル著作物（移動指示の際に選択されたデジタル著作物）を削除し、携帯電話１の通信回路１ｂ及びインターフェース１ａは、受信した暗号化データ（暗号化デジタル著作物）をメモリカード３へ送信する（ＳＴ４）。メモリカード３の通信回路３ａは暗号化データ（暗号化デジタル著作物）を受信し、メモリ３ｂはこの受信した暗号化データ（暗号化デジタル著作物）を記憶する。ここまでで、携帯電話１（第１の端末機器）に格納されたデジタル著作物の出力処理が完了する。
【００２０】
次に、ユーザが、携帯電話１（第１の端末機器）に接続されたＩＣカード２を取り外し、同様に携帯電話１（第１の端末機器）に接続されたメモリカード３も取り外す。続いて、取り外したＩＣカード２を第２の端末機器としての携帯電話２のインターフェース１ａを介して接続し、さらにこの携帯電話１（第２の端末機器）のインターフェース１ｃを介してメモリカードを接続する（ＳＴ５）。さらに、ユーザは、この携帯電話１（第２の端末機器）に設けられた操作キーを利用して、デジタル著作物の受信を指示する。このデジタル著作物の受信指示に対応して、メモリカード３のメモリ３ｂに記憶されている暗号化データ（暗号化デジタル著作物）は、通信回路３ａを介して携帯電話１（第２の端末機器）へ送信され、携帯電話１（第２の端末機器）はインターフェース１ｃ及び通信回路１ｄを介して暗号化データ（暗号化デジタル著作物）を受信する。暗号化データ（暗号化デジタル著作物）を受信した携帯電話１（第２の端末機器）は、通信回路１ｂ及びインターフェース１ａを介して、受信した暗号化データ（暗号化デジタル著作物）をＩＣカード２に対して送信し、さらにＩＣカード２に対してこの暗号化データ（暗号化デジタル著作物）の復号化を指示する（ＳＴ６）。
【００２１】
ＩＣカード２の通信回路２ｅは、携帯電話１（第２の端末機器）から送信される暗号化データ（暗号化デジタル著作物）を受信するとともに、暗号化データ（暗号化デジタル著作物）の復号化の指示を受信する。ＩＣカード２の演算部２ｄは、受信した暗号化データ（暗号化デジタル著作物）をメモリ２ｂに記憶されている鍵データに基づき復号化する（ＳＴ７）。この復号化により、暗号化データ（暗号化デジタル著作物）から、復号化デジタル著作物（元のデジタル著作物）、復号化加入者識別情報、復号化ＩＤ番号が得られる。ＩＣカード２の演算部２ｄは、復号化加入者識別情報とメモリ２ａに格納された加入者識別情報とを比較しデータ移動の正当性を確認する（ＳＴ８）。さらに、ＩＣカード２の演算部２ｄは、復号化ＩＤ番号とＩＤ管理部２ｃに格納されたＩＤ番号とを比較しデータ移動の正当性を確認する（ＳＴ９）。復号化加入者識別情報とメモリ２ａに格納された加入者識別情報とが一致し（ＳＴ８、ＹＥＳ）、復号化ＩＤ番号がＩＤ管理部２ｃに格納されていることが確認されると（ＳＴ９、ＹＥＳ）、データ移動が許可され、ＩＤ管理部２ｃに格納されているＩＤ番号が削除され（ＳＴ１０）、ＩＣカード２の通信回路２ｅは復号化デジタル著作物（元のデジタル著作物）を携帯電話１（第２の端末機器）へ送信する（ＳＴ１１）。携帯電話１（第２の端末機器）のインターフェース１ａ及び通信回路１ｂは、ＩＣカード２から送信される復号化デジタル著作物（元のデジタル著作物）を受信し、メモリ１ｅにより受信された復号化デジタル著作物（元のデジタル著作物）が格納される。また、携帯電話１（第２の端末機器）は、復号化デジタル著作物（元のデジタル著作物）を受信し、メモリカード３のメモリ３ｂに記憶されている暗号化データ（暗号化デジタル著作物）を削除する。以上で、携帯電話１（第２の端末機器）によるデジタル著作物の入力処理が完了し、携帯電話１（第１の端末機器）から携帯電話１（第２の端末機器）へのデジタル著作物の移動が完了する。
【００２２】
なお、復号化加入者識別情報とメモリ２ａに格納された加入者識別情報とが一致しない場合（ＳＴ８、ＮＯ）、又は復号化ＩＤ番号がＩＤ管理部２ｃに格納されていない場合（ＳＴ９、ＮＯ）には、データ移動は許可されない。
【００２３】
上記したように、この発明によれば、従来のデジタル著作物を二つの携帯電話間でサーバを経由せずには移行できないという問題を解消することができる。つまり、ＩＣカードに、加入者識別情報を格納する機能、デジタル著作物を暗号化する鍵データを格納する機能、暗号化処理に付与されるＩＤ番号を管理する機能、携帯電話から受信したデジタル著作物データを暗号化／復号化する機能、復号化されたＩＤ番号及び加入者識別情報をチェックする機能を設け、携帯電話に各種データの送受信を制御する機能を設けることにより、ＩＣカードとメモリカードをある携帯電話から別の携帯電話に差し替える事により、デジタル著作物をある携帯電話から別の携帯電話に移行することが可能になる。
【００２４】
メモリカードに格納されるデータは、ＩＣカードに格納されている鍵データ（取り出せないデータ）で暗号化されており、また、暗号化されたデータにはＩＣカードに格納されている加入者識別情報及びＩＤ番号が含まれている為、メモリカードとＩＣカードをペアで使用しないと、暗号化されたデータを復号化する事ができない、さらにはデータ移動の正当性が確認できない。よって、上記したようにメモリカードとＩＣカードをペアで使用することにより、著作権データを安全にある携帯電話から別の携帯電話に移行することができる。
【００２５】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００２６】
【図１】この発明のデータ移動方法が適用されるデジタル著作物取り扱いシステムの一例を示す図である。
【図２】第１の端末機器としての携帯電話に格納されているデジタル著作物を第２の端末機器としての携帯電話へ移動させるデータ移動処理を説明するためのフローチャートである。
【符号の説明】
【００２７】
１…携帯電話（第１の端末機器、第２の端末機器）、１ａ…インターフェース、１ｂ…通信回路、１ｃ…インターフェース、１ｄ…通信回路、１ｅ…メモリ、１ｆ…ＣＰＵ、２…ＩＣカード、２ａ…メモリ、２ｂ…メモリ、２ｃ…ＩＤ管理部、２ｄ…演算部、２ｅ…通信回路、２ｆ…ＣＰＵ、３…メモリカード、３ａ…通信回路、３ｂ…メモリ
【図１】
2005242913.tif 000003
【図２】
2005242913.tif 000004